(57)【要約】      （修正有）【課題】打球の行方を正確に把握することができるゴルフ練習装置に使用する幕部材及び当該ゴルフ練習装置を提供する。【解決手段】ゴルフクラブを用いてボールを打撃し、それによって打ち放されたボールを受け止める幕部材を備えたゴルフ練習装置に使用する幕部材であって、受け止めた打球による衝撃力を吸収する柔軟性を有するとともに、受け止めた打球を所要時間付着、保持するボール保持部を具備し、少なくとも正面を、粘着性を有する物質によって形成した構成を有するものとする。【選択図】図１
0003173507.tif 000002
【実用新案登録請求の範囲】
【請求項１】
ゴルフクラブを用いてボールを打撃し、それによって打ち放されたボールを受け止めるゴルフ練習装置に使用する幕部材であって、
幕部材は、受け止めた打球による衝撃力を吸収する柔軟性を有するとともに、受け止めた打球を所要時間付着、保持するボール保持部を具備し、
ボール保持部は、少なくとも正面を、粘着性を有する物質によって形成されている
ゴルフ練習装置に使用する幕部材。
【請求項２】
幕部材は、基材シートを含む前後２枚以上のシートから成る多重構造を有し、上記基材シートは透明性を有し、かつ、その正面が柔軟性と粘着性を有する物質によって形成されている請求項１記載のゴルフ練習装置に使用する幕部材。
【請求項３】
幕部材は前後２枚以上のシートから成る多重構造を有し、上記シートは、標的模様を有するシート又はゴルフコースの光景を含む写真又は絵から成る目標となる図柄を付したシートから成り、これらの中から選択したシートを基材シートの後側に配置した構成を有する請求項１記載のゴルフ練習装置に使用する幕部材。
【請求項４】
前後２枚以上のシートから成る多重構造を有する幕部材であって、透明板から成る基材シートを設け、かつ、当該基材シートの上部に取付部材を設け、前記基材シートの後側に、標的模様又はゴルフコースの光景を含む写真又は絵から成り、目標ともなる図柄を付したシートを、取付部にて取り付けた構成を有する請求項１記載のゴルフ練習装置に使用する幕部材。
【請求項５】
ゴルフクラブを用いてボールを打撃し、それによって打ち放されたボールを受け止める幕部材を備えたゴルフ練習装置であって、
前記幕部材は前後２枚以上のシートから成る多重構造を有し、幕部材は、少なくとも正面を、粘着性を有する物質によって形成し、前記正面の後側に透明板から成る基材シートを設け、当該基材シートは、その上部に取付部材を有し、かつ、前記幕部材を宙吊り状態で設置する設置手段を具備し、前記基材シートの後側に標的模様又はゴルフコースの光景を含む写真又は絵から成る目標となる図柄を付したシートを、取付部を用いて取り付けた構成を有するゴルフ練習装置。
【考案の詳細な説明】
【技術分野】
【０００１】
本考案は、ゴルフクラブを用いてボールを打撃し、それによって打ち放されたボールを受け止める幕部材及び当該幕部材を備えたゴルフ練習装置に関するものである。
【背景技術】
【０００２】
ゴルフの愛好者にとっては、より高いレベルを目指すために、身近に練習できる環境を整えることが望まれる。また、練習においては練習の質を高めるとともに密度を高め、確実に身に付くようにつとめる必要があり、それらを満たす設備としては、例えば、コンピューター制御されたシミュレーション装置がベストに近いと考えられる。しかし、シミュレーション装置のある練習場へ出向かねばならず、かといって個人が自宅などに導入するには無理があり問題は単純ではない。
【０００３】
ゴルフ練習装置として考案されたものに、例えば、実開平２−４２６６８号があり、それは奥の壁面ネットに打撃用標的を配置し、上記標的に向けてゴルフボールを打撃するもので、打撃したゴルフボールを受けるボール受けネットを標的の下部に配置したゴルフネットを開示している。実開平２−３７７３号も同様な打ち放し型であるが、このような構成のものでは、打撃の爽快感を得ることはできても、打球の行方を正確に把握することができず、この点において力不足であるといわざるを得ない。
【０００４】
このように、従来の打ち放し型ゴルフ練習器具では、どうしても打球の行方を目で追うことになり、スイング本来の練習に専念することができないという問題が残る。打球の行方を目で追えば、いわゆるヘッドアップを誘発することになる。これは、練習を繰り返したり、実際にプレーを重ねたりしても、これまでの練習器具ないし練習装置等では解決することが難しい問題であるといえる。
【０００５】
【特許文献１】実開平２−３７７３号
【特許文献２】実開平２−４２６６８号
【考案の開示】
【考案が解決しようとする課題】
【０００６】
本考案は前記の点に着目してなされたもので、その課題は、打球の行方を正確に把握することができるゴルフ練習装置に使用する幕部材及び当該幕部材を使用したゴルフ練習装置を提供することである。また、本考案の他の課題は、打球の行方を目で追わなくても良く、ヘッドアップを誘発しないという安心感を得るとともに、それによって本来のスイングに専念することを可能にする点にある。また、本考案の他の課題は、質の高い練習を屋内でも屋外でも手軽に実行し得るようにすることである。
【課題を解決するための手段】
【０００７】
前記の課題を解決するため、本考案は、ゴルフクラブを用いてボールを打撃し、それによって打ち放されたボールを受け止めるゴルフ練習装置に使用する幕部材として、幕部材は、受け止めた打球による衝撃力を吸収する柔軟性を有するとともに、受け止めた打球を所要時間付着、保持するボール保持部を具備し、ボール保持部は、少なくとも正面を、粘着性を有する物質によって形成するという手段を講じたものである。
【０００８】
本考案の幕部材は、ゴルフクラブを用いて打撃したボールを幕部材によって受け止め、一時的に保持することによって、打球の方向を表示することができるものである。ボールが一時的に幕部材に保持されるから、練習者は打撃後落ち着いて幕部材に付着したボールを見ることによって、どの方向へどのような角度で飛んだのかが明確に分かり、打球の行方を目で追う必要がない。即ち、一連のスイング動作を終えた後、幕部材表面に付着して保持されているボールの位置を目視することで、打球の行方を正確に把握することができるのであり、ここに本考案の本質的特徴がある。
【０００９】
そのため、本考案のゴルフ練習装置に使用する幕部材では受け止めた打球による衝撃力を吸収する柔軟性を有するとともに、受け止めた打球を所要時間付着、保持する粘着性を有するものとする。ゴルフクラブの打撃によってボールが打ち放され、前記幕部材に当たった位置を表示又は保存するために、まず、打球の有する衝撃力を吸収する柔軟性を有することが前記幕部材の側に求められる。柔軟性に次いで該幕部材に要求される事項は、打球を当たった位置に所要時間付着、保持させておくために、幕部材が粘着性を有することである。幕部材に打球を付着、保持させる時間は、打撃の傾向を把握する観点からはボールが多数残っていることが望ましいのに対して、場合によってはボールがなくなった方が良いこともあるので、少なくとも１ないし数秒間は当たった箇所にて停止し、その後下方移動を開始し、やがて落下することが望ましい。
【００１０】
上記の柔軟性と粘着性を具備する幕部材によって、初めてボールを幕部材の受け止めた場所に上記の時間付着させておくことができるものである。このような柔軟性と粘着性を具備した幕部材には、その正面つまり練習者に面する側に柔軟性と粘着性を有するボール保持部が形成されている。ボール保持部としては、ＴＰＲ又はＴＰＥ（熱可塑性樹脂）に属するものであり、例えば、ゴム系の天然ゴム、合成ゴム、軟質塩化ビニル樹脂、アクリル樹脂系のアクリル酸エステル系共重合体、シリコーン系のシリコーンゴム、その他ビニルエーテル共重合体、ウレタンゴムなどのプラスチック等に粘着性を付与した物質を挙げることができる。
【００１１】
幕部材は、正面が透明な樹脂であることが望まれる。当該幕部材は、透明な粘着性を有する物質を基材シートの表面に層状に設けて形成される。また、基材シートの裏面にゴルフ場のコースの光景や標的模様などを設けておけば、練習者はその正面側からそれらを視認することができる（図１参照）。上記のコースの光景等は気分的なものではなく、打撃方向を決める目標となる図柄としても機能するので、本考案の装置を使用する練習者にとって有益なものである必要がある。このため、本考案では、ティーグラウンドからフェアウエーそしてグリーンに至る光景を幕部材に表示することが望まれる。
【００１２】
幕部材は、基材シートを含む前後２枚以上のシートから成る多重構造を有し、上記基材シートは透明性を有し、かつ、その正面が柔軟性と粘着性を有する物質によって形成されているという構成を取ることもできる（図４参照）。前後２枚以上のシートから成る多重構造の幕部材では、後側のシートに形成されているものを、透明な基材シートを透過して目視することができる。要するに、多重構造を有する幕部材の、基材シートの後に標的模様又はゴルフコースの光景を含む写真又は絵から成る目標となる図柄を付したシートを配置した構成を取ることができるのである。
【００１３】
また、ゴルフ練習装置は、これを宙吊り状態で設置する設置手段を備えた構成を有している。設置手段としては、基材シートの上部に取付部材を有し、取付部材は吊り下げ用のロープを有するものとし、吊り下げ用のロープにより幕部材を吊り下げ、新たに用意された自立式の取り付け枠又は既存の取り付け部分に、巻き上げ器を用いて上下位置調節可能に取付けることができる。幕部材を上下位置調節可能に取付けることで、目的とする弾道に適合した位置や使用するゴルフクラブに適合した位置などに、幕部材を配置することができる。自立式の取り付け枠を用いた場合、一定のスペースさえあれば本考案の装置を設置することができるが、自立式の取り付け枠を用いた場合においても、また、既存の取り付け部分に取り付ける場合でも、幕部材が宙吊りの状態で、定位置に配置されることが必要である。
【００１４】
設置手段は、基材シートの上辺に取り付けた補強桟とその補強桟の両端部にそれぞれ取り付けた取付部材とそれに掛けた吊り下げ用のロープと、上記のロープを掛け回して巻き取りかつ巻き解く巻き上げ器とから構成することができる。設置手段をこのような構成とすることによって、練習装置の設置及び撤収を容易に行うことができる。
【００１５】
本考案の装置において、幕部材に受け止められ、所定時間付着、保持された後、落下したボールを回収するために、落下球捕球用トレイを幕部材の下方に備えるのは望ましいことである。本考案の装置では、ボールは幕部材に所要の時間保持されてから自然落下するので、落下位置は幕部材のほぼ真下であり、全てのボールを確実に回収することが可能である。
【００１６】
なお、本考案の装置に用いるボールは実際のゴルフボールではなく、近距離で強打しても幕部材によって受け止められる程度の質量を持ったボールが適している。この種のボールとしてはポリエチレン製のディンプル付き中空ボールや中空なプラスチック製の穴明きボール、セフティーボールなどと呼ばれているスポンジ製のボール、或いはフロッピーなどと呼ばれている室内用の練習用ボールなどがある。
【考案の効果】
【００１７】
本考案は以上のように構成されかつ作用するものであり、受け止めた打球が幕部材に１ないし数秒間付着、保持されるから、打球の行方を正確に把握することができるという効果を奏する。また、本考案によれば、打球の行方を目で追わなくても良く、ヘッドアップを誘発しないという安心感を得ることができるので、その結果、本来のスイングに専念することが可能になる。また、本考案によれば、他の方式では得難く、質の高い練習を屋内でも屋外でも手軽に実行することができる。
【考案を実施するための最良の形態】
【００１８】
以下、図示の実施形態を参照して本考案をより詳細に説明する。図１は本考案に係るゴルフ練習装置に使用する幕部材１１の例１に関するもので、１１は幕部材を示しており、方形に形成されている。幕部材１１は、透明又は不透明なプラスチック材料から成る基材シート１２の表面に、透明、かつ、粘着性を有する物質から成るボール保持部１３を層状に設けて形成されている（図３Ａ、図３Ｂ）。透明な基材シート１２は、主として図柄が後側に配置される場合に使用し、不透明な基材シート１２は、それ自体の正面に図柄を設ける場合に使用することができる。図示の例における基材シート１２の正面側には、図柄が印刷されており、透明なボール保持部１３を透して目視される。透明な基材シート１２では、その裏面側の印刷を透視することも可能である。
【００１９】
上記例１の基材シート１２には、例えばポリエチレンテレフタレート（ＰＥＴ）ポリカーボネートあるいはポリプロピレン等を使用できる。また、ボール保持部１３に、軟質の前述した各種樹脂から成る粘着性を有する物質を使用することができる。上記軟質の樹脂は非常に柔らかく、かつ、粘着性を有しており、柔軟性によって打球の衝撃力を吸収でき、ボール１５を当たった位置で正確に受け止め、さらに粘着性によって当たった位置にボール１５を保持するものである。また、粘着性を有しているために基材シート１２とボール保持部１３は密着し、一体とすることができる。また、ボール１５は、図１及び図２、図３において、ポリエチレン製のディンプル付き中空ボールとして示している。しかし、前記したようにプラスチック製の穴明きボールやスポンジ製のボール、フロッピーなどと呼ばれる室内練習用ボールなどを使用することも可能である。
【００２０】
ボール保持部１３にてボール１５を保持し得る時間は、気温の高低、粘着性を有する物質表面の汚れ具合、表面の平滑性等の条件によっても変化し、また、使用するボール１５の材質ないし質量等の条件によっても変化する。粘着性を有する物質が上記の軟質の樹脂から成り、ポリエチレン製のディンプル付き中空ボールを使用した場合、ボール１５は１ないし数秒間は停止しており、落下するまでには１０〜２０秒間程度保持される。この程度のボール停止、保持時間が得られれば、打球の方向を表示するのに十分である。なお、粘着性を有する物質表面が使用によって汚れたときは、その汚れを洗浄して乾燥させ、粘着性を元通りに回復させることができるものとする。
【００２１】
このような幕部材１１は、使用する際に、設置手段１６によって宙吊り状態にして設置する。例１に示す設置手段１６は、基材シート１２の上辺の左右両端部に取付部材１９、１９を取り付け、当該取付部材１９、１９に吊り下げ用のロープ１８、１８を取り付けて構成されている。尚、取付部材１９、１９には、孔を設け、その孔にロープ１８、１８を通した構成とすることができる。
【００２２】
また、本考案においては、幕部材１１における基材シート１２に打撃の目標となるように、コースの光景等を含む写真又絵を基材シート１２の裏面側（正面側でも良い。）に表示することもできる。なお、例１の幕部材１１に使用すれば、ボール１５を、ゴルフクラブを用いて打撃し、その結果、打ち放されたボール１５が幕部材１１に当たると、ボール１５による打撃の衝撃力をボール保持部１３の柔軟性を有する粘着性を有する樹脂が吸収して受け止め、かつまた同時に、粘着性によってボール１５をボール保持部１３の当たった箇所に保持するように作用する。こうして、ボール１５が幕部材１１に当たると、ボール１５は当たった位置に１ないし数秒間程度停止し、その後粘着性を有する物質表面をゆっくりと転がりながら下方へ移動し、粘着性物質表面から離れて落下する。従って、落下するまでの間、練習者はボール１５を見て、どの方向へどのような角度で飛んだのかを明確に把握できるので、打球の行方を目で追う必要がないものである。
【００２３】
例２の幕部材２１について説明する。図４に示す例２の２１は幕部材を示しており、幕部材２１は、透明なプラスチック材料から成る基材シート２２の表面に、透明な粘着性を有する物質から成るボール保持部１３を層状に設けて形成されている。また、幕部材２１それ自体は横長の長方形に形成された正面形状を有する。例２では幕部材２１は、基材シート２２の後側に、シート２３から成る２重構造を有しているが２重構造に限られるものでもない。また、前側の基材シート２２は透明なプラスチック材料から成る。また、幕部材２１の形状は、横長ないしは縦長の長方形に限るものではない。
【００２４】
上記例２の前側の基材シート２２及び後側のシート２３も、ポリエチレンテレフタレート（ＰＥＴ）、ポリカーボネート（ＰＣ）或いはポリプロピレン（ＰＰ）から成るもので良い。また、前側の基材シート２２の正面のボール保持部１３には、例えば軟質塩化ビニル樹脂から成る粘着性を有する物質を使用することができる。これら前側の基材シート２２の後側に、グリーンの光景等を含む写真又は絵を付したシート２３−１、または、目標となる標的模様１４を有するシート２３−２、コースの光景等を含む写真又は絵を付した後側シート２３−１を配置することができる。幕部材２１は前後２枚以上のシートから成る多重構造とすることができる。この場合、透明な標的模様１４を有するシート２３−２の後側に、グリーンの光景等を含む写真又は絵を付したシート２３−１、２３−３のいずれかを配置し、標的模様１４とグリーンの光景等が重ね合わされるようになる。
【００２５】
また、前側の基材シートシート２２の上端部の左右両端付近を取付部材１９が配置されている。なお、取付部材１９には、シート２２を挟み込むことができるクリップ状のものを適用することができる。ここで、前側の基材シート２２と後側にシート２３は、それらの左右両端部を取付部２７で取り付けることができる。また、取付部２７には再剥離テープ２７−１で前記前側の基材シート２２と後側にシート２３を部分的に貼ったり、あるいは、それらを断面Ｕ字状の弾性樹脂材でできたクリップ上の取付部２７−２で取り付けることができる(図５参照)。また、前側の基材シート２２の後面あるいは後側シート２３の前面に弱粘性接着剤を前面に塗布し、再剥離可能としたものを取付部としても好ましく、同じく前側のシート２２の後面あるいは後側にシート２３の前面に静電処理加工をし、再剥離可能に貼りつけることができるものを取付部としても良い。また図６に示すように前側のシート２２の上端の全幅にわたって補強桟２８が取り付けられ、その上端部の左右両端付近を取付部材１９が配置しても好ましい。
【００２６】
図４に示した例２ではグリーンの写真又は絵から成る後側シート２３−１と、フェアウエーの写真又は絵から成る後側シート２３−３が、用意される。また、図４は、標的模様１４を有するシート２３−２を配置する例を示している。なお、標的模様１４を有するシート２４を用いる場合は、幕部材２１に標的模様１４を設ける必要はない。例２において、符号１８、１８はロープを夫々示す。また補強桟２８をシート２２の上端部に取り付けることができ、その左右端部には取付部材１９、１９が取り付けられ、上記取付部材１９、１９に２組のロープ１８、１８を掛けてそれぞれを吊り下げ、巻き上げ器３５と一体化した設置手段３０を構成している。
【００２７】
設置手段３０は、例えば図７に示したように、２組のロープ１８、１８の一端を夫々固定した一対の吊り下げ用の係止部３２、３２′と、各ロープ１８、１８の他端側を取付部材１９、１９の孔に通して例１の幕部材１１あるいは例２の幕部材２１を吊り下げるとともに、係止部３２、３２′の滑車３３、３３′に掛けて構成された巻き上げ器３５を用いて上下位置調節可能に取付けた構成を有している。３４は操作端部であり、滑車３３′、３４′から引き出した２組のロープ２９、２９′の他端に取り付けたものである。また、３６は定位置にある棒状の部材であって、手近にある設置部の例である。
【００２８】
例１のゴルフ練習装置２０は、係止部３２、３２′をフック部にて棒状の部材３６に掛けて例１の幕部材１１あるいは例２の幕部材２１を設置するが、設置の際には操作端部３４を操作して例１の幕部材１１あるいは例２の幕部材２１の上下位置を調節し、適切な調節位置で固定する。従って、練習場の広狭、或いはスイング練習で使用するクラブの種類、その他の条件に応じて最適の高さに幕部材１１あるいは２１を配置することができる。
【００２９】
図８は例２に示したゴルフ練習装置２０と同様の設置部３６として、例えば物干し竿のような棒状の部材を使用することができる例３を示している。幕部材１１あるいは幕部材２１が小さく、打球がそれる恐れがある場合には、十分な面積を有する防護シート材３７を設置部３６に配置しておく。シート材３７として、例えばカーテン、ネット類ないしはブルーシートの類を使用することができる。或いは、使い古したシーツや毛布、カーペット等も、防護用のシート材３７として使用し得る。しかし、あまり硬質のものは幕部材２１に密着しないように離して配置すべきである。
【００３０】
図８は、設置部３６として物干し竿の類でも使用できることを示しており、本考案のゴルフ練習装置２０は庭先や裏庭にでも設置ができることが分かる。幕部材１１あるいは幕部材２１に受け止められて所定時間付着、保持された後、落下したボールを回収するために、落下球捕球用トレイ３８を幕部材１１あるいは幕部材２１の下方に備えて置くことが望ましい。なお、防護用のシート材３７は宙吊り状態に設置されるものであり、これを幕部材１１あるいは幕部材２１の設置手段として使用することも可能である。例えば、シート材３７の正面の要所に面ファスナーの雌側を設けるか或いは雌側として利用可能な布類によってシート材３７を形成し、幕部材２１の背面に面ファスナーの雄側を設けることで、幕部材２１をシート材３７に着脱可能に設置することができる。
【００３１】
次に、新たに用意された自立式の取り付け枠３９を併用する本考案のゴルフ練習装置の例４について、図９を参照して説明する。例３のゴルフ練習装置４０における取り付け枠３９は、下端部にポール立て部４３を有し、上端部に竿掛け部４４を有する左右一対の伸縮式ポール４１、４２と、それらの竿掛け部４４、４４間に渡した竿部４５から成り、竿部４５には例えばカーテン、ネット類から成る、例３と同様のシート材３７が吊り下げられている。伸縮式ポール４１、４２はポール下部側に設けた調節部４１ａ、４２ａを操作して、ポール上部側を上げ下げすることができる。ポール立て部４３は内部に水または砂を充填する方式であるが、同図中に併記したような、十字型の構造を有する安定脚から成るポール立て部４３′でも良い。
【００３２】
例３に示した本考案に係るゴルフ練習装置４０は自立式であるから、本装置４０を設置する空間及びクラブを用いてボール１５を打撃する空間、それらの間の適当な空間があれば、どこにでも設置可能であることが分かる。そして、例３の装置４０の場合、巻き上げ器３５による上下位置調節と共に、左右一対の伸縮式ポール４１、４２によっても、幕部材１１あるいは幕部材２１を上下位置調節可能であるから、練習者と本装置４０との間隔が離れている場合でも十分な調節能力があり、従って、より大型にする場合に適している。なお、自立式とは言っても、自立状態でしか使用できないわけではなく、安全を確保のため張り線によって左右一対の伸縮式ポール４１、４２を補強することなどは適宜可能とする。
【００３３】
本考案に係るゴルフ練習装置はこのように構成され、かつ作用するものであって、打ち放されたボール１５を、１ないし数秒間だけ、幕部材１１、２１に付着させておくことができるという特徴を有する。ゴルフクラブによって打撃されたボール１５が幕部材１１、２１に当たると、その正面のボール保持部１３は柔軟性を有する粘着性物質から成っているので、ボール１５が打撃の衝撃力で食い込み１５ａ（図３参照）を生じ、接触面積を増した状態になり、粘着性物質が有する粘着性によって保持された状態を保つ。しかし、やがては時間の経過とともに、ボール保持部１３の樹脂の弾力性によってボール保持部１３のへこみが復元し、また、ボール１５には重力も作用しているので、停止した状態を維持できなくなり下方へ移動することになる。
【００３４】
ボール１５がボール保持部１３に当たり付着するとその位置で少なくとも１〜５秒間は停止し、その後ゆっくりと粘着性を有する物質表面を転がりやがて落下するが、付着してから落下までの時間が１０〜２０秒間程度はあるので、練習者が打球の行方を確認するには十分である。従って、最初に打撃したボール１５が付着している間に、次々とボール１５を打撃すれば、複数個のボール１５をボール保持部１３に同時的に付着させることも可能であり（図８）、練習者は自己のスイングの傾向を正確に把握し、修正に役立てることができるであろう。
【００３５】
図１０を参照してより具体的に説明すると、図１０では３個のボール１５−１、１５−２、１５−３がボール保持部１３に付着しており、数字は幕部材に当たった順番を示す。ボール１５は、ボール保持部１３に付着すると上記３〜５秒間停止した後、下方へ移動して行くので、付着後経過した時間に比例して各ボール１５の移動距離Ｌ１、Ｌ２、Ｌ３は伸びて行く。そして最初に付着したボール１５−１は、距離Ｌ１を移動してボール保持部１３の下端に達すると落下する。こうして、練習者は打席を離れることなく、一般のゴルフ練習場における練習時と同様に、複数個のボール１５を次々と幕部材１１、２１に打ち込むことができるので、スタンスを変えることなくタイムリーにスイングの矯正を行うことができる。また、本考案によれば、打撃したボール１５を一々回収しに行くわずらわしさがない。従って、本考案によれば打球の行方を目で追うことなく、スイング本来の練習に専念することができるという、質の高い練習が実現する。
【００３６】
本考案の幕部材１１、２１を長時間設置したままにしておく場合、粘着性物質から成るので、当該幕部材１１、２１に他のものが触れたり、埃等が集ったりすることを防止するため、幕部材１１、２１の表面を離型紙（セパレートペーパー）或いは表面に細かい凸凹を有する軟質プラスチックシートで覆っておくことが望ましい。本考案のゴルフ練習装置２０、４０を使用せずに保管しておくときも同様である。なお、使用するボール１５については色分けなど区別できるものを使用すると、今、打ったボールかどうかを判別することも可能である。
【図面の簡単な説明】
【００３７】
【図１】本考案に係るゴルフ練習装置に使用する幕部材の例１を示す斜視図である。
【図２】本考案に係るゴルフ練習装置に使用する幕部材の例１の分解斜視図である
【図３】Ａは図１のＩＩＩＡ−ＩＩＩＡ線の断面図、Ｂはその一部を拡大して示す断面図である。
【図４】同じくゴルフ練習装置に使用する幕部材の例２を示すもので、交換するシートの種類を併せて示した斜視図である。
【図５】例２を示す図５の断面図である。
【図６】例２を示すもので、交換するシートの取付部を示す斜視図である。
【図７】同じく例２の装置の巻き上げ機の例を示す正面図である。
【図８】同じく例３の装置の正面を示す斜視図である。
【図９】同じく例４の装置の正面を示す斜視図である。
【図１０】同じくボールの停止と位置変化を示す斜視図である。
【符号の説明】
【００３８】
１１、２１        幕部材
１２              基材シート
１３、            ボール保持部
１４              標的模様
１５、１５−１、１５−２、１５−３  ボール
１８、            ロープ
１９、            取付部材
２０、４０  ゴルフ練習装置
２２              基材シート
２３              後側のシート
２７              取付部
２８              補強桟
３０              設置手段
３２、３２′      係止部
３４′            滑車
３４              操作端部
３５              巻き上げ器
３６              棒状の部材
３７              シート材
３８              落下球捕球用トレイ
３９              取り付け枠
４１、４２        伸縮式ポール
４３、４３′      ポール立て部
４４              竿掛け部
４５              竿部
【図１】
0003173507.tif 000003
【図２】
0003173507.tif 000004
【図３】
0003173507.tif 000005
【図４】
0003173507.tif 000006
【図５】
0003173507.tif 000007
【図６】
0003173507.tif 000008
【図７】
0003173507.tif 000009
【図８】
0003173507.tif 000010
【図９】
0003173507.tif 000011
【図１０】
0003173507.tif 000012